(57)【要約】【課題】  システムの消費電力を抑えつつ、あらゆる条件下で銀イオンの添加量を最適範囲内に調整することができる便器洗浄水生成装置を提供することを目的とする。【解決手段】  少なくともいずれかが銀を含む一対の電極を有し、前記電極を洗浄水中に浸した状態で前記一対の電極の間に通電することにより前記洗浄水中に銀イオンを放出可能とした銀電解槽と、前記銀電解槽に供給する電力を出力する電力出力手段と、前記洗浄水中に添加される前記銀イオンの濃度を変化させる手動切替スイッチと、を備えたことを特徴とする便器洗浄水生成装置を提供する。【選択図】  図１
2005232683.tif 000002
【特許請求の範囲】
【請求項１】
少なくともいずれかが銀を含む一対の電極を有し、前記電極を洗浄水中に浸した状態で前記一対の電極の間に通電することにより前記洗浄水中に銀イオンを放出可能とした銀電解槽と、
前記銀電解槽に供給する電力を出力する電力出力手段と、
前記銀電解槽における前記銀イオンの放出量を変化させる手動切替スイッチと、
を備えたことを特徴とする便器洗浄水生成装置。
【請求項２】
前記手動切替スイッチは、前記一対の電極に通電する電流を変化させることを特徴とする請求項１記載の便器洗浄水生成装置。
【請求項３】
前記手動切替スイッチは、前記一対の電極に印加する電圧を変化させることを特徴とする請求項１記載の便器洗浄水生成装置。
【請求項４】
前記手動切替スイッチは、前記一対の電極に供給する電力を変化させることを特徴とする請求項１記載の便器洗浄水生成装置。
【請求項５】
前記手動切替スイッチは、前記一対の電極の間隔を変化させることを特徴とする請求項１記載の便器洗浄水生成装置。
【請求項６】
便器に流すべき洗浄水の一部のみを前記一対の電極の間に通水させる分流手段をさらに備え、
前記手動切替スイッチは、前記一対の電極の間に通水される水の分流比を変化させることを特徴とする請求項１記載の便器洗浄水生成装置。
【請求項７】
前記電力出力手段は、前記洗浄水の水流により電力を生成する発電手段を含むことを特徴とする請求項１〜６のいずれか１つに記載の便器洗浄水生成装置。
【請求項８】
前記電力出力手段は、蓄電手段を含むことを特徴とする請求項１〜７のいずれか１つに記載の便器洗浄水生成装置。
【請求項９】
複数の前記手動切替スイッチを備えたことを特徴とする請求項１〜８のいずれか１つに記載の便器洗浄水生成装置。
【請求項１０】
前記手動切替スイッチは、前記洗浄水の水質に応じて前記銀イオンの前記放出量を変化可能としたことを特徴とする請求項１〜９のいずれか１つに記載の便器洗浄水生成装置。
【請求項１１】
前記手動切替スイッチは、前記洗浄水の水圧に応じて前記銀イオンの前記放出量を変化可能としたことを特徴とする請求項１〜９のいずれか１つに記載の便器洗浄水生成装置。
【請求項１２】
前記手動切替スイッチは、前記洗浄水を流す便器の構造に応じて前記銀イオンの前記放出量を変化可能としたことを特徴とする請求項１〜９のいずれか１つに記載の便器洗浄水生成装置。
【発明の詳細な説明】
【技術分野】
【０００１】
本発明は、便器洗浄水生成装置に関し、特に、銀（Ａｇ）イオンを含有した洗浄水を生成し、水洗便器などに流すことができる便器洗浄水生成装置に関する。
【背景技術】
【０００２】
水洗便器は、使用者のボタン操作等による手動洗浄、あるいは、便器の前に人が立ったことを検出し便器の使用が終了した時点で自動的に上水又は中水を流す自動洗浄により清浄度が維持される。しかし、単に水を流すのみでは、便器や配水管に、「水アカ」や「ぬめり」が蓄積したり臭気が発生することを防止することが容易でない。また、小便器においては、「尿石」が配管内に付着して排水の通過路を狭くしたり、便器の表面に付着して外観を損ね、細菌繁殖の温床となって臭気を放つようになる。一旦付着してしまった尿石は、通常の清掃では除去することは難しく、ブラシで強く擦らないと取れない。このため、尿石の除去は、専門の業者に依頼する必要があり、大きな負担となっている。
【０００３】
この問題に対して、本発明者らは、洗浄水の水流エネルギーを利用して発電し、この電気エネルギーを用いて洗浄水に銀イオンを含有させる殺菌装置を発明した（例えば、特許文献１及び特許文献２）。
【０００４】
これらの発明によれば、銀イオンが有する殺菌作用によって、水アカ、ぬめり、尿石などの発生を抑制できる。また、銀イオンを生成するための電気エネルギー源として水力発電を利用すれば、家庭用１００ボルト電源などの商用電源が不要となり、停電や感電なども問題を解消し、低ランニングコストの便器殺菌装置を提供できる。
【特許文献１】特開２０００−２７２６２号公報
【特許文献２】特開２００１−２３２３６９号公報
【発明の開示】
【発明が解決しようとする課題】
【０００５】
本発明者は、さらに独自の試作検討を進めた結果、洗浄水に添加すべき銀イオンの濃度には最適範囲があること、濃度をこの範囲内とするためには、洗浄水の水質や供給条件などに応じた調整が必要であることを知得した。この調整を、制御回路など利用したフィードバック制御により自動的に実行させることも可能である。しかしその場合、制御回路の消費電力がシステムに加算されるため、発電機の容量を拡大させるなどの施策が必要となる。発電機の効率には上限があり、また、洗浄水の水流エネルギーを過度に消費すると、圧力損失が過大となり、洗浄流量が低下し、便器の洗浄が不十分となる場合もありうる。
【０００６】
一方、一次電池や２次電池などの蓄電手段を電源として用いるシステムの場合には、電池の寿命が短くなり、交換あるいは充電の頻度が増大するので、メンテナンスの負担が増加するという問題がある。
【０００７】
本発明はかかる課題の認識に基づいてなされたものであり、その目的は、システムの消費電力を抑えつつ、あらゆる条件下で銀イオンの添加量を最適範囲内に調整することができる便器洗浄水生成装置を提供することにある。
【課題を解決するための手段】
【０００８】
上記目的を達成するため、本発明によれば、少なくともいずれかが銀を含む一対の電極を有し、前記電極を洗浄水中に浸した状態で前記一対の電極の間に通電することにより前記洗浄水中に銀イオンを放出可能とした銀電解槽と、前記銀電解槽に供給する電力を出力する電力出力手段と、前記銀電解槽における前記銀イオンの放出量を変化させる手動切替スイッチと、を備えたことを特徴とする便器洗浄水生成装置が提供される。
【０００９】
なお、本願明細書において、銀イオンの「放出」とは、銀電極の表面から銀イオンが遊離することを意味し、銀イオンの「溶出」とは、放出された銀イオンが洗浄水中にイオンしてとどまることをいうものとする。
【００１０】
上記構成によれば、手動切替スイッチにより確実且つ容易に銀イオンの添加量を最適な範囲に調節することができる。また、銀イオンを過剰に供給することを防ぎ、銀電極の消耗も抑制できる。またさらに、銀イオンの添加量を自動調節する制御回路などが不要となるため、消費電力を下げ、電力出力手段の負担を軽減できる。
【００１１】
ここで、前記手動切替スイッチは、前記一対の電極に通電する電流を変化させるものとすれば、用途や設置条件などに応じて、それぞれ適した銀イオンの添加量に調整できる。また、銀電極の寿命も任意に変更できる。
【００１２】
また、前記手動切替スイッチは、前記一対の電極に印加する電圧を変化させるものとしても、用途や設置条件などに応じて、それぞれ適した銀イオンの添加量に調整できる。また、銀電極の寿命も任意に変更できる。
また、前記手動切替スイッチは、前記一対の電極に供給する電力を変化させるものとしても、用途や設置条件などに応じて、それぞれ適した銀イオンの添加量に調整できる。また、銀電極の寿命も任意に変更できる。
【００１３】
また、前記手動切替スイッチは、前記一対の電極の間隔を変化させるものとしても、用途や設置条件などに応じて、それぞれ適した銀イオンの添加量に調整できる。また、銀電極の寿命も任意に変更できる。またさらに、水質が悪い場合にも、電極間の閉塞などを防止できる。
【００１４】
また、便器に流すべき洗浄水の一部のみを前記一対の電極の間に通水させる分流手段をさらに備え、前記手動切替スイッチは、前記一対の電極の間に通水される水の分流比を変化させるものとしても、用途や設置条件などに応じて、それぞれ適した銀イオンの添加量に調整できる。また、銀電極の寿命も任意に変更できる。
【００１５】
また、前記電力出力手段は、前記洗浄水の水流により電力を生成する発電手段を含むものとすれば、発電手段により生成される限られた電力を有効に活用することができる。
【００１６】
また、前記電力出力手段は、蓄電手段を含むものとすれば、蓄電手段の消耗を防ぎ、交換や再充電などの頻度を下げることができる。
【００１７】
たま、複数の前記手動切替スイッチを備えたものとすれば、銀イオンの添加量をさらに細かく調整できる。
【００１８】
また、前記手動切替スイッチは、前記洗浄水の水質に応じて前記銀イオンの前記放出量を変化可能とすれば、水質によって変化する銀の溶出効率を考慮した制御が可能となり、水質に応じて所望の濃度の銀イオンを含む洗浄水を生成できる。
【００１９】
また、前記手動切替スイッチは、前記洗浄水の水圧に応じて前記銀イオンの前記放出量を変化可能とすれば、洗浄水の供給圧力による瞬間流量の違いによって変化する銀イオンの溶出効率を考慮した制御が可能となり、水圧に応じて所望の濃度の銀イオンを含む洗浄水を生成できる。
【００２０】
また、前記手動切替スイッチは、前記洗浄水を流す便器の構造に応じて前記銀イオンの前記放出量を変化可能とすれば、便器の構造に応じて最適な銀イオンの溶出効率を考慮した制御が可能となり、便器の構造に応じて所望の濃度の銀イオンを含む洗浄水を生成できる。
【発明の効果】
【００２１】
本発明によれば、システムの消費電力を抑えつつ、あらゆる条件下で銀イオンの添加量を最適範囲内に調整することができる便器洗浄水生成装置を提供することができる。
【発明を実施するための最良の形態】
【００２２】
以下、図面を参照しつつ本発明の実施の形態について説明する。  
（第１の実施の形態）
まず、本発明の第１の実施の形態として、銀電解槽に供給する電流、電圧あるいは電力の少なくともいずれかを手動により切替可能とした便器洗浄水生成装置について説明する。
【００２３】
図１は、本発明の第１の実施の形態にかかる便器洗浄水生成装置の具体例を表す模式図である。すなわち、本実施形態の便器洗浄水生成装置は、電流供給回路や制御回路などを含む制御手段１００と、開閉弁２００と、銀電解槽４００と、発電手段５００と、手動切替スイッチ６００と、を有する。
【００２４】
上水や中水などの水道水Ｗは、例えば、開閉弁２００によりその流路が開閉される。本具体例においては、開閉弁２００は手動式であり、使用者が必要に応じて押しボタンなどを操作することにより流路を開いて、水道水Ｗを下流側に流すことができる。開閉弁２００の下流には、発電手段５００と銀電解槽４００とが設けられている。発電手段５００と銀電解槽４００とを通過した水は、水洗便器７００に洗浄水として供給される。
【００２５】
なお、図１に例示した如く銀電解槽４００の上流に発電手段５００を設けると、洗浄開始の際の突入流れに対して、銀電解槽４００への通水に応じて遅延することなく銀電解槽４００に電力を供給することができる。ただし、本発明においては、発電手段５００の上流側に銀電解槽４００を設けてもよい。このようにすると、発電手段５００を殺菌水が流れるので、発電手段５００において雑菌の付着による汚れを防ぐこともできる。
【００２６】
図２は、発電手段５００を表す模式図である。すなわち、同図（ａ）はその外観を表す斜視図であり、同図（ｂ）はその内部構造を表す断面図である。    
発電手段５００は、発電機５１０と水車５２０とを有する。水車５２０は、水道水Ｗの水流により回転し、その回転運動が発電機５１０の駆動軸に伝達される。すると、水道水の運動エネルギーが電気エネルギーに変換されて、電力が発生する。この電力を銀電解槽４００に投入することにより、銀イオンを生成できる。従って、外部から家庭用１００ボルト電源を投入したり、また、電池などの電源を付設する必要がなく、コンパクトでランニングコストが低く、メンテナンスも省略できる便器洗浄水生成装置を実現できる。
【００２７】
なお、本具体例においては、使用者が開閉弁２００を操作して洗浄水を流すたびに銀イオンを生成してもよく、または、使用回数が所定の回数に達した場合や、時間が所定の時間経過した場合などに銀イオンを生成するようにしてもよい。後者の場合には、銀電極の消耗を低減できる。
【００２８】
そして、本実施形態においては、手動切替スイッチ６００によって、銀電解槽４００に供給する電流、電圧あるいは電力の大きさを適宜切り替えることにより、水質や使用条件などに応じて最適な濃度の銀イオンを生成し供給することができる。
【００２９】
以下、まず、本発明により得られる銀イオンの効果について説明する。  
図３は、銀電解槽４００における銀イオンの生成を表す概念図である。  
すなわち、銀電解槽４００は、一対の銀電極４２０ａ及び４２０ｂを有する。これら銀電極の間で電流を流すと、電気分解反応により、銀イオンが陽極（アノード）側の電極４２０ａから放出される。なお、これら銀イオンの一部は、マイナスの電荷をもつ塩素イオンと結合して塩化銀（ＡｇＣｌ）を生成し消費されるが、未反応の銀イオンが殺菌効果を奏する。すなわち、銀イオンが添加された洗浄水を小用便器に流すと、小用便器及びその排水管の防汚性という点で秀逸な効果を発揮する。小用便器への尿石の付着のメカニズムは、次のようなものと考えられる。
【００３０】
小用便器に排尿をすると、小用便器の表面に尿が付着するとともに、小用便器内のトラップ部に尿が滞留する。一般に、小用便器には、多数の細菌が存在する。尿には、多量の尿素が含有されているが、小用便器の表面やトラップ部の滞留水に細菌が存在すると、尿素は細菌の有する酵素ウレアーゼの作用によりアンモニアと二酸化炭素に分解される。この時生成するアンモニア量が多いと、臭気の一因となる。また、アンモニアが生成すると、小用便器の表面に付着した液体やトラップ部の滞留水に溶解し、その液体のｐＨが上昇する。ｐＨが上昇すると、小用便器の表面に付着した液体やトラップ部の滞留水に含まれるカルシウムイオンが炭酸塩やリン酸塩へと変化して析出し、「尿石」として便器や排水管に付着し、着色汚れや詰まりの原因となる。
【００３１】
これに対して、本発明に係る便器洗浄水生成装置を小用便器に適応した態様では、銀イオンを含有した殺菌効果の高い洗浄水を小用便器に流すことにより、小用便器内に存在する細菌を効果的に殺菌することができる。その結果として、尿石付着の原因が排除され、小用便器は常に清浄な状態に保たれて美観を損ねることもなく、尿石の配管内への付着による汚水通過路の狭小化が防止され、また、アンモニア等による臭気の発生も防止される。
【００３２】
本発明者は、水洗便器に流す洗浄水に含まれる銀イオンの濃度と殺菌効果について調査検討を行った。その結果、銀イオンの添加量が少ないと殺菌効果が十分に得られず、一方、銀イオンの添加量が多すぎると、銀電極の消耗が激しく、また、銀イオンと同時に発生する塩化銀が便器の陶器面に付着することにより「黒ずみ」などの変色が生ずる場合があることを知得した。そして、これらの観点から、洗浄水に対する銀イオンの添加量は、１〜５０ｐｐｂの範囲内とすることが望ましいことが分かった。従って、銀イオンの添加量がこの範囲内において最適の値となるように、何らかの制御を実施する必要がある。
【００３３】
一方、所定の濃度の銀イオン水を生成するために銀電解槽４００に供給すべき電流、電圧、あるいは電力の値は、供給される水道水の電気伝導率によって変化する。
【００３４】
図４は、銀イオンの添加量を５ｐｐｂとするための特性線を例示するグラフ図である。すなわち、同図において「制御電流値」と表したものは、銀イオンの添加量を５ｐｐｂとするために必要な電流値を表す。また、図４には、この制御電流値に対応する電圧及び電力の特性線も表した。水道水の電気伝導率が高いほど、含有される塩素イオン量が大きくなり銀イオンの溶出を阻害するため、必要とされる電流値が増大する傾向が見られる。
【００３５】
なおここで、電極間の電気伝導度と電流値との関係は、流量や印加電圧や銀電解槽４００の構造に応じて変化する。図４に表した具体例の場合、流量は毎分１４リッターであり、銀電極４２０ａ、４２０ｂの対向部を１０ｍｍ×１０ｍｍの略正方形とし、電極間の間隔を１０ｍｍとした。また、最高印加電圧を２０ボルトとし（低伝導度水の場合）、電流の最大値は４０ミリアンペアとした（最も清浄度が低い中水の場合）。
【００３６】
またここで、図４に表した具体例の場合、電気伝導率が約１７０ｍＳ／ｍ以上の範囲においては、電流値を４０ｍＡ一定にしている。この理由は、電気伝導率がこれ以上となるような水質の場合、一定の銀濃度を保つために４０ｍＡ以上の電流を流すと、塩化銀の生成も多量となり、塩化銀の便器表面への析出により「黒ずみ」などが懸念されるためである。但し、日本国内の中水で、この電気伝導率を上回ることはあまりないと考えられる。
【００３７】
図４からも分かるように、所定の銀イオン濃度を得るためには、銀電解槽４００に供給する電流、電圧あるいは電力を、水道水の電気伝導率に応じて適宜調節することが必要となる。これに対して、本実施形態によれば、手動切替スイッチ６００を設けることにより、確実且つ容易に調節することができる。
【００３８】
図５は、手動切替スイッチの外観を例示する模式図である。    
すなわち、本実施形態における手動切替スイッチ６００は、例えば、図５（ａ）に表したようなロータリー型のディップスイッチ、同図（ｂ）に表したようなスライド型のディップスイッチ、同図（ｃ）に表したようなタクタイルスイッチ、同図（ｄ）に表したようなロッカースイッチなどの各種の形態を有するものとすることができる。  
このような手動切替スイッチ６００は、制御手段１００に内蔵される電流供給回路の回路定数あるいは設定値を切り替える役割を有する。
【００３９】
手動切替スイッチ６００による切替モードについては、種々のケースを設けることが可能である。例えば、図４に表した特性に準じて、水の電気伝導率に応じて電流値を以下の４段階に切替可能とすることができる。
モード        水の電気伝導率      設定電流値
１          １７０ｍＳ／ｍ以上    ４０ｍＡ
２        ７０〜１７０ｍＳ／ｍ    ２０ｍＡ
３          ２０〜７０ｍＳ／ｍ      ５ｍＡ
４          ２０ｍＳ／ｍ以下        ２ｍＡ
この場合、例えば、施工業者が本具体例の便器洗浄水生成装置を設置する際に、用いる水道水の水質に応じて手動切替スイッチ６００を操作し、上記の４段階のいずれかを設定する。このようにすれば、現場の水質に合わせて適切な電流を銀電解槽４００に流すことができる。その結果として、銀イオンの添加量が最適となり、十分な殺菌効果が得られ、且つ便器の「黒ずみ」なども防ぐことができる。
【００４０】
またさらに、水道水の電気伝導率に応じて電流値を自動調節するフィードバック回路などを設ける必要がなくなり、そのような回路を設けた場合の消費電力の増大を解消することができる。具体例を挙げると、例えば、図１及び図２に関して前述したような発電手段５００を用いた場合、水洗便器７００に流す小用洗浄水による発電量は概ね５００ミリワット程度である。これに対して、水道水の電気伝導率に応じて電流を自動調節するフィードバック回路の消費電力は、最大で６００ミリワットに達する場合もある。つまり、このようなフィードバック回路を設けた場合には、発電手段５００による電力供給では不足するおそれがある。  
これに対して、本実施形態によれば、手動切替スイッチ６００を設けることにより、システムの消費電力を大幅に低減させ、発電手段５００のみにより安定的に動作可能な便器洗浄水生成装置を実現できる。
【００４１】
一方、本具体例においては、手動切替スイッチ６００によって、電流の代わりに電圧あるいは電力を切替可能としてもよい。すなわち、図４に例示した特性線に対応させてその切替モードを例示すると以下の如くである。
モード        水の電気伝導率      設定電圧値
１          １７０ｍＳ／ｍ以上  １５Ｖ
２        ７０〜１７０ｍＳ／ｍ  １４Ｖ
３        ２０〜７０ｍＳ／ｍ    １０Ｖ
４          ２０ｍＳ／ｍ以下      ７Ｖ
モード        水の電気伝導率      設定電力値
１          １７０ｍＳ／ｍ以上  ６００ｍＷ
２        ７０〜１７０ｍＳ／ｍ  ２８０ｍＷ
３          ２０〜７０ｍＳ／ｍ    ５０ｍＷ
４          ２０ｍＳ／ｍ以下      １０ｍＷ
また、地域による水道水の電気伝導度の違いを反映した切替モードを設定してもよい。例えば、一般的に山間地においては水道水の電気伝導度は低く、逆に海沿いの地域においては、水道水の電気伝導度は高くなる傾向がある。そこで、以下のような簡単な切替モードを設定してもよい。
モード    地域      水の電気伝導率      設定電流値
１      海沿い    ８０ｍＳ／ｍ程度  ２０ｍＡ
２      山間地      ８ｍＳ／ｍ以下    ２ｍＡ
この場合にも、便器洗浄水生成装置を設置する地域に応じて、切替スイッチ６００を適宜切り替えることにより、適切な電流を銀電解槽４００に流すことができる。このような切替を容易に実施するために、手動切替スイッチ６００に「海沿い」あるいは「山間地」の如く表示してもよく、または、取り扱い説明書などにおいて説明を記載してもよい。  
また、ここに例示した２段階の電流切替モードの代わりに、電圧を切り替え可能としてもよく、あるいは電力を切り替え可能としてもよい。これらいずれの場合も、水道水の電気伝導率に応じて電流値を自動調節するフィードバック回路などを設ける必要がなくなり、そのような回路を設けた場合の消費電力の増大を解消することができる。
【００４２】
またさらに、水道水の電気伝導率の他にも、種々のパラメータに基づいて、手動切替スイッチ６００による切替モードを設定することができる。  
例えば、便器洗浄水生成装置がビルなどに設置される場合、その階数に応じて電流値（あるいは電圧や電力）を適宜切り替えることが望ましい。すなわち、ビルの上階は、下階よりも水道水の供給水圧が低くなるので、銀電解槽４００を流れる流量が低下し、銀イオンの濃度が高くなる傾向がある。つまりこれは、図４に例示したような最適電流値が変化することに対応する。従って、便器洗浄水生成装置をビルの上階に設置する場合は、下階に設置する場合よりも設定電流を下げることが望ましい。その切替モードの一例を挙げると以下の如くである。
モード        階数          水圧          設定電流値
１      １階〜４階    ０．３ＭＰａ以上    ４０ｍＡ
２      ５階〜９階    約０．１５ＭＰａ    ２０ｍＡ
３      １０階以上    約０．０７ＭＰａ    １０ｍＡ
なおこの具体例は、中水を用いる場合に対応する。このように、設置する階数に応じて手動切替スイッチ６００を適宜切り替えることにより、適切な電流を銀電解槽４００に流すことができる。このようにすれば、水の供給水圧あるいは流量を測定しフィードバックする回路が必要なくなり、システムを簡略化できるとともに消費電力も低減できる。
【００４３】
また一方、給水方式によって手動切替スイッチ６００を切替可能としてもよい。すなわち、水洗便器に対する給水方式としては、水道水を貯留したタンクから給水する、いわゆる「タンク式」と、水道から直接供給する「水道直結式」と、がある。タンク式の場合、銀イオンを添加した洗浄水を貯留しておくと、図３に関して前述したような塩化銀（ＡｇＣｌ）の生成によって銀イオンの濃度が低下する。つまりこれも、図４に例示したような最適電流値が変化することに対応する。そこで、以下に例示する如く、設定電流値を上げることが望ましい。
モード  給水方式      設定銀イオン濃度    設定電流値
１    タンク式        ７ｐｐｂ          ２．８ｍＡ
２    水道直結式      ５ｐｐｂ            ２ｍＡ
なおこの具体例は、上水を用いた場合に対応する。このように、給水方式に応じて手動切替スイッチ６００を適宜切り替えることにより、適切な電流を銀電解槽４００に流すことができる。このようにすれば、水の供給方式を判別しフィードバックする回路が必要なくなり、システムを簡略化できるとともに消費電力も低減できる。
【００４４】
またさらに、水洗便器７００の構造によって手動切替スイッチ６００を切替可能としてもよい。例えば、水洗便器の構造として、便器の周縁に設けられた渕（リム）から洗浄水を流す「リム式」と、便器の上方に設けられたスプレッダーから洗浄水を流す「スプレッダー式」と、がある。一般に、「リム式」の便器のほうが、「スプレッダー式」の便器よりも供給する洗浄水の流量及び総吐水量が大きい。つまりこれも、図４に例示したような最適電流値が変化することに対応する。そこで、これら流量に応じて、以下に例示する如く設定電流値を切替可能とすることが望ましい。
モード  給水方式            流量                設定電流値
１    リム式          毎分２１±４リッター    ２．６ｍＡ
２    スプレッダー式  毎分１４±３リッター      ２ｍＡ
なおこの具体例は、上水を用いた場合に対応する。さらに、以下に例示する如く、水質に応じた切替モードを付加してもよい。
モード  給水方式            水質    設定電流値
１    リム式              中水      ５２ｍＡ
２    スプレッダー式      中水      ４０ｍＡ
３    リム式              上水    ２．６ｍＡ
４    スプレッダー式      上水        ２ｍＡ
このように、便器の構造や水質に応じて手動切替スイッチ６００を適宜切り替えることにより、適切な電流を銀電解槽４００に流すことができる。このようにすれば、便器の構造や瞬間流量などを判別しフィードバックする回路が必要なくなり、システムを簡略化できるとともに消費電力も低減できる。
【００４５】
またさらに、総吐水量が少なく配管内の汚水置換率が低い場合、殺菌力を高めるため洗浄開始から洗浄終了までの総吐水量に応じた切替モードを付加してもよい。
モード  給水方式        総吐水量                設定電流値
１    リム式          ３リッター              ２ｍＡ
２    スプレッダー式  １．５リッター        ２．６ｍＡ
またさらに、水洗便器７００の使用頻度によって手動切替スイッチ６００を切替可能としてもよい。すなわち、使用頻度が高い場合には、以下に例示する如く、銀イオンの濃度を上げて殺菌作用を強化することが望ましい。
モード      使用頻度      銀イオン生成回数    設定電流値
１      ５０人未満          ３回            １０ｍＡ
２    ５０〜１００人        ６回            １１ｍＡ
３    １０１人以上        １２回            １２ｍＡ
なおここで、「使用頻度」と「銀イオン生成回数」は、それぞれ一日あたりの数である。またここでは、中水を用いた場合を例示した。上記具体例の如く、使用頻度に応じて、例えば電流値を１０パーセントずつ増加させることにより、殺菌作用を強化することができる。つまり上記具体例も、図４に例示したような最適電流値を変化させることに対応する。そして上記具体例によれば、総吐水量や使用頻度などを自動判別しフィードバックする回路が必要なくなり、システムを簡略化できるとともに消費電力も低減できる。
【００４６】
またさらに、水洗便器７００の「黒ずみ」を防ぐために手動切替スイッチ６００を切替可能としてもよい。例えば、水道水の硬度が高いほど、便器の表面に付着物が多くなり、塩化銀（ＡｇＣｌ）の付着量も増加するために「黒ずみ」が生じやすくなる。そこで、以下に例示する如く、銀イオンの濃度を下げて「黒ずみ」を防ぐことが望ましい。
モード    水質    炭酸カルシウム換算量      設定電流値
１      硬水      １００ｐｐｍ以上      １．６ｍＡ
２      軟水      １００ｐｐｍ未満        ２ｍＡ
つまり上記具体例も、図４に例示したような最適電流値を変化させることに対応する。そして上記具体例によれば、水質を自動判別しフィードバックする回路が必要なくなり、システムを簡略化できるとともに消費電力も低減できる。なおここでは、上水を用いた場合を例示した。このように、水道水の硬度に応じて設定電流値を適宜増減させることにより、便器の「黒ずみ」を防止できる。
【００４７】
一方、便器の「黒ずみ」は、水洗便器７００の表面状態によっても異なる。すなわち、新品の水洗便器や、表面に平滑加工を施した水洗便器の場合には、「黒ずみ」の原因となる塩化銀の付着は少ない。一方、既使用の水洗便器や表面に平滑加工を施していない水洗便器の場合には、塩化銀が付着しやすく、「黒ずみ」が発生しやすい。そこで、以下に例示する如く、「黒ずみ防止モード」を設けて設定電流値を下げるようにするとよい。
モード  黒ずみ防止モード    設定電流値
１        オン            １．６ｍＡ
２        オフ              ２ｍＡ
なおここでは、上水を用いた場合を例示した。すなわち、便器の表面状態などに応じて設定電流値を適宜増減させることにより、便器の「黒ずみ」を確実且つ容易に防止できる。つまり上記具体例も、図４に例示したような最適電流値を変化させることに対応する。そして上記具体例によれば、便器の表面状態や設置時期などを自動判別しフィードバックする回路が必要なくなり、システムを簡略化できるとともに消費電力も低減できる。  
なお、このような「黒ずみ」を防ぐための切替モードは、便器洗浄水生成装置を設置し使用を継続している間、便器の「黒ずみ」の発生状況を観察しつつ、適宜切り替えることができ便利である。
【００４８】
以上、本実施形態の手動切替スイッチ６００による切替モードの態様について具体例を挙げつつ説明した。  
次に、本実施形態の便器洗浄水生成装置の他の具体例について説明する。  
図６は、本実施形態の便器洗浄水生成装置の第２の具体例を表す模式図である。図６以降の図面については、既述したものと同様の要素には同一の符号を付して詳細な説明は省略する。
【００４９】
本具体例においては、発電手段が設けられず、その代わりに蓄電手段１４０が設けられている。蓄電手段１４０は、アルカリ電池や銀電池などの１次電池でもよく、またはニッケル・カドミウム電池や、ニッケル水素電池、リチウムイオン電池などのように再充電が可能な２次電池でもよい。
【００５０】
本具体例の場合、銀電解槽４００、制御手段１００、およびその他の要素が必要とする電力は、蓄電手段１４０から供給される。そして、上記の第１具体例の場合と同様に、手動切替スイッチ６００により各種の切替モードを適宜設けることができる。つまり、便器洗浄水生成装置が設置される条件や環境、水質、水圧、便器の「黒ずみ」の状態に応じて、銀電解槽４００に流す電流（あるいは電圧や電力）を適宜切り替えることができる。その結果として、銀イオンによる殺菌効果を確実且つ容易に得ることができ、さらに便器の「黒ずみ」も防ぐことができる。またさらに、電流を過剰に流すことも防げるので、蓄電手段１４０の寿命をのばし、交換または再充電の頻度を減らすことができる。
【００５１】
またさらに、水質などに応じて電流を調整する自動フィードバック回路などが不要となるために、システムの消費電力を低減でき、この観点からも、蓄電手段１４０の寿命をのばし、交換または再充電の頻度を減らすことができる。
【００５２】
図７は、本実施形態の便器洗浄水生成装置の第３の具体例を表す模式図である。  
本具体例においては、電力を生成する発電手段５００が設けられ、またさらに、開閉弁２００が自動開閉式とされている。例えば、プランジャ式ラッチング・ソレノイド・バルブからなる開閉弁２００を用い、制御手段１００から駆動電力を適宜供給することにより、自動開閉させることができる。  
このシステムも、発電手段５００からの電力で駆動される。すなわち、銀電解槽４００には発電手段５００から整流部（図示せず）を通して直接電力が供給され、開閉弁２００やセンサーには蓄電部（図示せず）を通して電力が供給されるようにすることができる。
【００５３】
またさらに、本具体例においてはセンサ１６０が設けられ、使用者の存在が感知可能とされている。すなわち、センサ１６０は、例えば、水洗便器７００の上方または前面などに配置され、赤外線などにより使用者の存在を検知する。便器７００の前に使用者が立つと、センサ１６０から検知信号が送られ、開閉弁２００の操作や銀電解槽４００に対する電流供給などが適宜実行される。
【００５４】
図８は、本具体例における制御手段１００の構成を例示した模式図である。  
すなわち、制御手段１００は、例えば、制御部１１０、開閉弁電磁駆動部１２０、電流供給部１３０、蓄電部１４０及び整流部１５０などを有する。
【００５５】
これらの回路要素について説明すると、まず、制御部１１０は、他の回路要素の動作を管理し、制御する役割を有する。開閉弁電磁駆動部１２０は、例えば開閉弁２００を開動作または閉動作させるための電圧を出力することにより開閉弁２００を駆動させる。  
電流供給部１３０は、銀電解槽４００に対して銀イオン溶出のための電流を供給する。蓄電部１４０は、発電手段５００により発電された電力を蓄積する役割を有し、例えば、電圧変換回路と、キャパシタなどの蓄電手段と、を有する。整流部１５０は、発電手段５００により発電された交流電力を整流して直流電流に変換する。
【００５６】
センサ１６０からの検知情報に基づいて、制御部１１０は、開閉弁電磁駆動部１２０を動作させ、開閉弁２００を開閉させて、便器７００に洗浄水を適宜流すことができる。
【００５７】
図９は、電流供給部１３０の構成を例示する模式図である。すなわち、電流供給部１３０は、例えば、定電流回路１３３と、極性反転回路１３４を有する。定電流回路１３３は、銀イオンを溶出させるために最適な電流値を制御して出力する役割を有する。
【００５８】
一方、極性反転回路１３４は、銀電解槽４００に出力する電流の極性を適宜反転させる役割を有する。すなわち、図３に例示したような銀電解槽４００の電極４２０ａ、４２０ｂの間に直流電流を流して電気分解を行うと、カソード（陰極）側の電極の表面に炭酸カルシウムなどのスケールが付着し、電気抵抗が上昇するという問題がある。なお、アノード（陽極）側の電極の表面には、主に塩化銀（ＡｇＣｌ）などが析出する。また、銀イオンの溶出に伴い、アノード（陽極）側の電極は消耗していくので、一対の電極４２０ａ、４２０ｂを均等に消耗させることが望ましい。そこで、極性反転回路１３４により電流の極性を適宜反転させて出力する。これにより、電極表面における炭酸カルシウムや塩化銀などの析出も防止しあるいは緩和できる。極性の反転は、例えば、一回の洗浄水の生成毎とすることができる。
【００５９】
図１０は、本具体例の便器洗浄水生成装置の動作を例示するタイミングチャートである  例えば、小用便器に自動洗浄機能が設けられている場合、付設されたセンサ１６０は、制御部１１０の制御のもとで、例えば０．５秒間隔で使用者の有無を調べる。この時の電源は、蓄電部１４０から供給することができる。
【００６０】
使用者が小用便器に接近すると、ステップＳ１においてセンサ１６０が人体を検知する。センサ１６０が人体を検知すると、制御部１１０は、内蔵しているタイマのカウントを開始する。タイマが所定時間、例えば５秒をカウントすると、ステップＳ２において開閉弁２００が開かれて「予備洗浄」が開始される。
【００６１】
ここで、「予備洗浄」とは、使用者による使用に先立って、小用便器に洗浄水を流してボウル面を予め濡らすことにより、汚れの付着を防止し臭気の発生なども抑えるための洗浄処理である。「予備洗浄」において流す洗浄水の水量は、例えば、０．５リッター程度とすることができる。
【００６２】
予備洗浄により洗浄水を流す時、発電手段５００は電力を発電する。この電力は、蓄電部１４０に供給され蓄電される。なお、蓄電部１４０における電力蓄積手段としては、例えばキャパシタを用いることができる。この場合、キャパシタが満充電状態になると発電手段５００の起電圧がキャパシタの耐電圧を超えることがあるため、所定電圧でスイッチングする図示しないスイッチング回路を用い、発電手段５００からの出力が所定電圧を超える場合には、蓄電に代わって抵抗体で発電手段５００からの出力を消費させるとよい。
【００６３】
そして、所定の流量または所定の時間が経過したらステップＳ３において開閉弁２００が閉じられる。開閉弁２００としては、例えば、ラッチング・ソレノイド・バルブなどと呼ばれるものを用いることができる。このタイプの開閉弁は、開動作及び閉動作の際のみ電圧を供給すればよく、開状態及び閉状態を維持するために電力を消費しない。従って、消費電力が小さいという利点がある。
【００６４】
さて、この間に使用者は小用を開始し、予備洗浄が終了後に小用を終了する場合が多い。使用者が小用を終了し、便器から離れると、ステップＳ４において、センサ１６０が人体を検知しなくなる。  
ステップＳ４においてセンサ１６０が人体を検知しなくなると、制御部１１０は内蔵タイマのカウントを開始する。タイマが所定時間、例えば１秒をカウントすると、ステップＳ５において開閉弁２００が開かれ、洗浄水が便器に流されて本洗浄が開始される。本洗浄の流量は、便器の形式や吐水ノズルの形態などに応じて適宜決定され、例えば、１〜２リッター程度とすることができる。  
所定の流量または所定の時間が経過したら、ステップＳ６において開閉弁２００が閉じられ、本洗浄が終了する。この後、前述の如くセンサ部１６０は例えば０．５秒間隔で使用者の有無を検知する。
【００６５】
次に、銀イオン水による洗浄動作の具体例について説明する。  
図１１は、銀イオン水による洗浄動作を例示するタイミングチャートである。  
銀イオンを添加した洗浄水を流す頻度は、便器の使用頻度や使用環境、銀電極の消耗速度などに応じて適宜決定することができる。例えば、一日当たり３回〜１２回程度とすることができ、また例えば、便器が最後に使用されてから所定時間が経過後に流すようにしてもよい。頻度を上げると高い清浄度を容易に維持できるが、銀電極の消耗が加速される。
【００６６】
図１１に表した具体例の場合、便器が最後に使用されてから２時間が経過すると銀イオン水生成のシーケンスが開始される。すなわち、制御部１１０は、蓄電部１４０から電力の供給を受けて内蔵タイマをカウントしている。そして、最終使用から２時間が経過すると、ステップＳ１１において、開閉弁２００が開かれ、また同時に銀電解槽４００に電流が供給されて銀イオン添加水の吐水が開始される。銀イオン含有水の吐水量は、例えば、４リッター程度とすることができ、その吐水時間は、通常の小用便器の吐水ノズルの管路抵抗を考慮すると、例えば１６秒間程度である。
【００６７】
銀イオン含有水を所定の吐水量または所定の時間吐水したら、ステップＳ１２において銀電解槽４００への通電を停止する。その後、制御部１１０において内蔵タイマをカウントし、例えば、１秒が経過するとステップＳ１３において開閉弁２００を閉じる。このようにして、銀イオン水の吐水が終了する。なお、ステップＳ１２の後に、所定の時間をおいてステップＳ１３を実行するのは、便器の表面に銀イオン含有水が残留すると「黒ずみ」の原因になるからである。
【００６８】
以上説明したように、銀イオンを添加した洗浄水を便器７００に最適なタイミングで流すことにより、汚れの付着や臭気の発生を防ぐことができる。
【００６９】
そして、本具体例によれば、例えば、電流供給部１３０からの出力電流値を、手動切替スイッチ６００によって切替可能とすることができる。すなわち、上記の第１具体例の場合と同様に、各種の切替モードが適宜設けられた手動切替スイッチ６００を操作することにより、便器洗浄水生成装置が設置される条件や環境、水質、水圧、便器の「黒ずみ」の状態に応じて、銀電解槽４００に流す電流（あるいは電圧や電力）を適宜切り替えることができる。その結果として、銀イオンによる殺菌効果を確実且つ容易に得ることができ、さらに便器の「黒ずみ」も防ぐことができる。
【００７０】
またさらに、水質などに応じて電流を調整する自動フィードバック回路などが不要となるために、システムの消費電力を低減でき、発電手段５００により生成される限られた電力によって便器洗浄水生成装置を確実に動作させることができる。
【００７１】
図１２は、本実施形態の便器洗浄水生成装置の第４の具体例を表す模式図である。  
また、図１３は、その制御手段１００の具体的な構成を例示する模式図である。
【００７２】
本具体例においても、開閉弁２００が自動開閉式とされ、制御手段１００から駆動電力を適宜供給することにより、動作させることができる。また、本具体例においては、発電手段の代わりに蓄電手段１４０が設けられている。蓄電手段１４０は、アルカリ電池や銀電池などの１次電池でもよく、またはニッケル・カドミウム電池や、ニッケル水素電池、リチウムイオン電池などのように再充電が可能な２次電池でもよい。
【００７３】
本具体例の便器洗浄水生成装置も、発電手段の代わりに蓄電手段１４０から電力が供給される点を除けば、前述した第３具体例の便器洗浄水生成装置とほぼ同様な動作をさせることができる。
【００７４】
そして、上記の第１具体例の場合と同様に、手動切替スイッチ６００により、各種の切替モードを適宜設けることにより、便器洗浄水生成装置が設置される条件や環境、水質、水圧、便器の「黒ずみ」の状態に応じて、銀電解槽４００に流す電流（あるいは電圧や電力）を適宜切り替えることができる。その結果として、銀イオンによる殺菌効果を確実且つ容易に得ることができ、さらに便器の「黒ずみ」も防ぐことができる。またさらに、電流を過剰に流すことも防げるので、蓄電手段１４０の寿命をのばし、交換または再充電の頻度を減らすことができる。
【００７５】
またさらに、水質などに応じて電流を調整する自動フィードバック回路などが不要となるために、システムの消費電力を低減でき、この観点からも、蓄電手段１４０の寿命をのばし、交換または再充電の頻度を減らすことができる。
【００７６】
（第２の実施の形態）
次に、本発明の第２の実施の形態として、銀電解槽の電極間隔を可変とする手動切替スイッチが設けられた便器洗浄水生成装置について説明する。
【００７７】
図１４は、本実施形態にかかる便器洗浄水生成装置を表す模式図である。  
すなわち、本実施形態の便器洗浄水生成装置も、図１に関して前述したものと同様に、電流供給回路や制御回路などを含む制御手段１００と、開閉弁２００と、銀電解槽４００と、発電手段５００と、手動切替スイッチ６００と、を有する。ただし、本実施形態においては、手動切替スイッチ６００は、銀電解槽４００に設けられ、その電極の間隔を可変とする。
【００７８】
図１５は、本実施形態における銀電解槽４００及び手動切替スイッチ６００の構成を例示する模式図である。すなわち、同図に例示した具体例の場合、手動切替スイッチ６００は、ネジ式の動作伝達機構を有し、矢印Ｒの方向に回転させると、銀電極４２０ａを矢印Ａの方向に移動させることができる。なお、本実施形態における手動切替スイッチ６００の動作機構は、図１５に例示したものに限定されず、その他、スライド式や磁気結合式をはじめとする各種の機構を採用することができる。また、一対の電極４２０ａ、４２０ｂのいずれか一方のみを移動させてもよく、または両方を移動させてもよい。
【００７９】
銀電解槽４００の銀電極の間隔を変えると、銀イオンの生成効率も変化する。すなわち、銀電極４２０ａ、４２０ｂの間隔が広いと銀イオンの生成効率が低下する傾向がある。
【００８０】
図１６は、銀電極の間隔と電極抵抗との関係を例示するグラフ図である。  
すなわち、同図の横軸は銀電極の間隔を表し、縦軸は電極間の抵抗を表す。ここでは、１０ミリメータ角の銀電極４２０ａ、４２０ｂを用い、水の電気伝導度が６０、１０６、１４９、１９２ｍＳ／ｍのそれぞれについての関係を表した。
【００８１】
図１６から、電極間距離が大きくなると、電極抵抗は増大することが分かる。電気伝導度が低い上水の場合には、塩素イオンが銀イオン生成効率に与える影響が小さいため、例えば電流値が２ｍＡ一定となるように制御を行う。この場合、電極間隔が一定だと水の電気伝導率が小さくなるほど（水が真水に近づくほど）電極間抵抗が大きくなるので、電圧、電力は大きくなる（図４参照）。一方、図１６に表したように、電極間距離を小さくすることで電極間抵抗を小さくできるので、水の電気伝導率による電極間抵抗の増大効果を相殺できる。つまり、水の電気伝導率が小さい場合には、電極間距離を小さくすれば、電圧や電力の上昇を防ぐことができる。
【００８２】
例えば、図１６に表した具体例の場合には、上水の水質に応じて電極間距離を以下のように手動切替スイッチで調節するとよい。
モード        水の電気伝導率        電極間距離
１          ２０ｍＳ／ｍ以上      １０ｍｍ
２          ２０〜１４ｍＳ／ｍ      ７ｍｍ
３          １４〜８ｍＳ／ｍ        ５ｍｍ
４          ８ｍＳ／ｍ以下          ３ｍｍ
つまり上記具体例も、図４に例示したような最適電流値を変化させることに対応する。そして上記具体例によれば、電圧や電力の過度な上昇を防ぐことができる。
【００８３】
一方、本実施形態においては、手動切替スイッチ６００によって銀電極の間隔を変えることにより、たとえば、水質や設置環境、「黒ずみ」の有無などに応じて、銀イオンの濃度を最適な範囲に調節することができる。すなわち、本実施形態における手動切替スイッチ６００による切替モードについても、第１実施形態に関して前述したものと同様に、種々のケースを設けることが可能である。例えば、図１６に表した特性に準じて、水の電気伝導率に応じて電極の間隔を以下の４段階に切替可能とすることができる。
モード        水の電気伝導率      電極間隔
１          １７０ｍＳ／ｍ以上      ３ｍｍ
２        ７０〜１７０ｍＳ／ｍ  ３．５ｍｍ
３          ２０〜７０ｍＳ／ｍ      ４ｍｍ
４          ２０ｍＳ／ｍ以下    ４．５ｍｍ
この場合も、例えば、施工業者が本具体例の便器洗浄水生成装置を設置する際に、用いる水道水の水質に応じて手動切替スイッチ６００を操作し、上記の４段階のいずれかを設定する。このようにすれば、現場の水質に合わせて電極４２０ａ、４２０ｂの間隔を最適にすることができる。その結果として、電極間に印加する電圧を一定制御するのみの簡単な制御で銀イオンの濃度を適切な値とし、十分な殺菌効果が得られ、且つ便器の「黒ずみ」なども防ぐことができる。つまり、電極間の電流や電圧を調節する必要がなく、電極間隔を変化させるだけで、銀イオンの濃度を最適な値となることができる。また本実施形態においても、水道水の電気伝導率に応じて電流値を自動調節するフィードバック回路などを設けた場合の消費電力の増大を解消することができる。つまり、本具体例によれば、極めて簡単な構成で低コストに最適な濃度の銀イオンを添加することができる。
【００８４】
また、地域による水道水の電気伝導度の違いを反映した切替モードを設定してもよい。例えば、一般的に山間地においては水道水の電気伝導度は高く、逆に海沿いの地域においては、水道水の電気伝導度は低くなる傾向がある。そこで、以下のような簡単な切替モードを設定してもよい。
モード    地域      水の電気伝導率      電極間隔
１      海沿い    ８０ｍＳ／ｍ程度      ５ｍｍ
２      山間地    ８ｍＳ／ｍ以下        ３ｍｍ
この場合にも、便器洗浄水生成装置を設置する地域に応じて、切替スイッチ６００を適宜切り替えることにより、銀電極４２０ａ、４２０ｂの間隔を適切にすることができる。このような切替を容易に実施するために、手動切替スイッチ６００に「海沿い」あるいは「山間地」の如く表示してもよく、または、取り扱い説明書などにおいて説明を記載してもよい。つまり上記具体例も、図４に例示したような最適電流値を変化させることに対応する。そして上記具体例によれば、電圧の過度な上昇を防ぐことができる。  
また、本実施形態においても、水道水の電気伝導率の他に、種々のパラメータに基づいて手動切替スイッチ６００による切替モードを設定することができる。  
以下、第１実施形態に関して前述した各種の切替モードに対応して、最適な電極間隔の一例を列挙する。
【００８５】
便器洗浄水生成装置がビルなどに設置される場合。
モード        階数          水圧            電極間隔
１      １階〜４階    ０．３ＭＰａ以上      ３ｍｍ
２      ５階〜９階    約０．１５ＭＰａ      ５ｍｍ
３      １０階以上    約０．０７ＭＰａ      ７ｍｍ
上記具体例も、図４に例示したような最適電流値を変化させることに対応する。そして上記具体例によれば、水圧や流量などを自動判別しフィードバックする回路が必要なくなり、システムを簡略化できるとともに消費電力も低減できる。
【００８６】
給水方式により切り替える場合。
モード  給水方式      設定銀イオン濃度    電極間隔
１    タンク式        ７ｐｐｂ            ３ｍｍ
２    水道直結式      ５ｐｐｂ            ５ｍｍ
上記具体例によれば、給水方式を自動判別しフィードバックする回路が必要なくなり、システムを簡略化できるとともに消費電力も低減できる。
【００８７】
便器の構造により切り替える場合。
モード  給水方式          流量                  電極間隔
１    リム式          毎分２１±４リッター    ３ｍｍ
２    スプレッダー式  毎分１４±３リッター    ５ｍｍ
上記具体例によれば、給水方式や瞬間流量などを自動判別しフィードバックする回路が必要なくなり、システムを簡略化できるとともに消費電力も低減できる。
【００８８】
水道水の硬度により切り替える場合。
モード    水質    炭酸カルシウム換算量      電極間隔
１      硬水      １００ｐｐｍ以上        ５ｍｍ
２      軟水      １００ｐｐｍ未満        ３ｍｍ
上記具体例によれば、水質を自動判別しフィードバックする回路が必要なくなり、システムを簡略化できるとともに消費電力も低減できる。
【００８９】
便器の「黒ずみ」防止モードを設ける場合。
モード  黒ずみ防止モード    電極間隔
１        オン              ５ｍｍ
２        オフ              ３ｍｍ
上記具体例によれば、便器の表面状態や設置時期などを自動判別しフィードバックする回路が必要なくなり、システムを簡略化できるとともに消費電力も低減できる。
【００９０】
以上、例示したように、本実施形態によれば、手動切替スイッチ６００により各種の切替モードを適宜設けることによって、便器洗浄水生成装置が設置される条件や環境、水質、水圧、便器の「黒ずみ」の状態に応じて、銀電解槽４００の電極間隔を変えることができる。その結果として、銀イオンの濃度を調整し、銀イオンによる殺菌効果を確実且つ容易に得ることができ、さらに便器の「黒ずみ」も防ぐことができる。
【００９１】
以下、本実施形態の他の具体例の便器洗浄水生成装置について説明する。  
図１７は、本実施形態の便器洗浄水生成装置の第２の具体例を表す模式図である。  
すなわち、本具体例は、図６に関して前述したものと同様に、発電手段が設けられず、その代わりに蓄電手段１４０が設けられている。蓄電手段１４０は、アルカリ電池や銀電池などの１次電池でもよく、またはニッケル・カドミウム電池や、ニッケル水素電池、リチウムイオン電池などのように再充電が可能な２次電池でもよい。
【００９２】
本具体例の場合、銀電解槽４００、制御手段１００、およびその他の要素が必要とする電力は、蓄電手段１４０から供給される。そして、手動切替スイッチ６００により、各種の切替モードを適宜設けることにより、便器洗浄水生成装置が設置される条件や環境、水質、水圧、便器の「黒ずみ」の状態に応じて、銀電解槽４００の銀電極の間隔を適宜切り替えることができる。その結果として、銀イオンによる殺菌効果を確実且つ容易に得ることができ、さらに便器の「黒ずみ」も防ぐことができる。またさらに、電流を過剰に流すことも防げるので、蓄電手段１４０の寿命をのばし、交換または再充電の頻度を減らすことができる。
【００９３】
またさらに、水質などに応じて電流を調整する自動フィードバック回路などが不要となるために、システムの消費電力を低減でき、この観点からも、蓄電手段１４０の寿命をのばし、交換または再充電の頻度を減らすことができる。
【００９４】
図１８は、本実施形態の便器洗浄水生成装置の第３の具体例を表す模式図である。  
本具体例は、図７乃至図１１に関して前述したものと同様に、電力を生成する発電手段５００が設けられ、またさらに、開閉弁２００が自動開閉式とされている。また、本具体例においては、センサ１６０が設けられ、使用者の存在を感知可能とされている。
【００９５】
これら各要素の動作については、図７乃至図１１に関して前述したものと同様とすることができる。そして、本具体例によれば、各種の切替モードが適宜設けられた手動切替スイッチ６００を操作することにより、便器洗浄水生成装置が設置される条件や環境、水質、水圧、便器の「黒ずみ」の状態に応じて、銀電解槽４００の電極の間隔を適宜切り替えることができる。その結果として、銀イオンによる殺菌効果を確実且つ容易に得ることができ、さらに便器の「黒ずみ」も防ぐことができる。
【００９６】
またさらに、水質などに応じて電流を調整する自動フィードバック回路などが不要となるために、システムの消費電力を低減でき、発電手段５００により生成される限られた電力によって便器洗浄水生成装置を確実に動作させることができる。
【００９７】
図１９は、本実施形態の便器洗浄水生成装置の第４の具体例を表す模式図である。  
本具体例においても、図１２及び図１３に関して前述したものと同様に、開閉弁２００が自動開閉式とされ、制御手段１００から駆動電力を適宜供給することにより、動作させることができる。また、本具体例においては、発電手段の代わりに蓄電手段１４０が設けられている。蓄電手段１４０は、アルカリ電池や銀電池などの１次電池でもよく、またはニッケル・カドミウム電池や、ニッケル水素電池、リチウムイオン電池などのように再充電が可能な２次電池でもよい。
【００９８】
本具体例の便器洗浄水生成装置も、図１２及び図１３に関して前述したものとほぼ同様な動作をさせることができる。  
そして、手動切替スイッチ６００により、各種の切替モードを適宜設けることにより、便器洗浄水生成装置が設置される条件や環境、水質、水圧、便器の「黒ずみ」の状態に応じて、銀電解槽４００の電極間隔を適宜切り替えることができる。その結果として、銀イオンによる殺菌効果を確実且つ容易に得ることができ、さらに便器の「黒ずみ」も防ぐことができる。またさらに、電流を過剰に流すことも防げるので、蓄電手段１４０の寿命をのばし、交換または再充電の頻度を減らすことができる。
【００９９】
またさらに、水質などに応じて電流を調整する自動フィードバック回路などが不要となるために、システムの消費電力を低減でき、この観点からも、蓄電手段１４０の寿命をのばし、交換または再充電の頻度を減らすことができる。
【０１００】
（第３の実施の形態）
次に、本発明の第３の実施の形態として、水道水を複数の流路に分流する分流手段が設けられ、この分流比を可変とする手動切替スイッチが設けられた便器洗浄水生成装置について説明する。
【０１０１】
図２０は、本実施形態にかかる便器洗浄水生成装置の具体例を表す模式図である。  
すなわち、本実施形態の便器洗浄水生成装置は、電流供給回路や制御回路などを含む制御手段１００と、開閉弁２００と、分流手段３００と、銀電解槽４００と、発電手段５００と、手動切替スイッチ６００と、を有する。そして、本実施形態においては、手動切替スイッチ６００は、分流手段３００に設けられ、その分流比を可変とする。
【０１０２】
図２１は、本具体例における分流手段３００、銀電解槽４００、発電手段５００を含むユニットを表す模式図である。すなわち、同図（ａ）はその外観を表す斜視図であり、同図（ｂ）はその内部構造を表す断面図である。  
このユニットは、同図（ａ）に表したように、側面に突出した一体の接続端子４１０ａ、４１０ｂと、発電機５１０と、を有する。その内部を見ると、分流手段３００は、水道水Ｗを２つの流路に分岐している。その一方の流路には、銀電解槽４００の銀電極４２０ａ、４２０ｂが対向して設けられている。これら銀電極４２０ａ、４２０ｂは、接続端子４１０ａ、４１０ｂにそれぞれ接続されている。接続端子４１０ａ、４１０ｂの間に電流を流すと、電気分解反応により陽極側の銀電極から銀（Ａｇ）イオンが溶出し水道水に添加される。
【０１０３】
一方、分流手段３００により分岐された他方の流路には、水車５２０が設けられている。水車５２０は、水道水Ｗの水流により回転し、その回転運動が発電機５１０の駆動軸に伝達される。すると、水道水の運動エネルギーが電気エネルギーに変換されて、電力が発生する。  
銀電解槽４００と発電手段５００とをそれぞれ通過した水は、その下流において再び合流し、水洗便器に洗浄水として供給される。
【０１０４】
そして、本具体例においては、手動切替スイッチ６００によって分流手段３００が移動可能とされている。
【０１０５】
図２２は、手動切替スイッチ６００による分流手段３００の移動機構を例示する模式図である。すなわち、同図（ａ）は図２１に表したユニットを裏面側から眺めた外観図であり、同図（ｂ）は、分流手段３００の動作を表す断面図である。
【０１０６】
本具体例の場合、手動切替スイッチ６００は、スライド式の動作機構を備え、分流手段３００を図に向かって左右方向に移動させる。分流手段３００が図２２（ｂ）において向かって左方向に移動すると、発電手段５００に流れる流量が減少し、銀電解槽４００に流れる流量が増加する。すなわち、銀電解槽４００を流れる水の分流比を増加できる。逆に、分流手段３００を向かって右方向に移動させると、発電手段５００に流れる流量が増加し、銀電解槽４００に流れる流量が減少する。すなわち、銀電解槽４００を流れる水の分流比を低下できる。  
このように、手動切替スイッチ６００を操作することにより、銀電解槽４００に流れる水の分流比を変えることができる。そして、銀電解槽４００に流れる水の分流比を低下させると、銀イオンの生成効率を上げることができる。
【０１０７】
図２３は、分流による銀イオンの生成効率の改善を説明するための模式図である。  
すなわち、銀イオンは、陽極（アノード）側の電極から放出される。しかし、プラスの電圧を印加された陽極側の電極の表面には、電極近傍の境界層内にあるマイナスの電荷をもつ塩素イオンが引き寄せられる。この状態で銀電極から銀イオンが放出されても、境界層の内部の塩素イオンと結合して塩化銀（ＡｇＣｌ）が生成され、銀イオンとしての効果が得られない。すなわち、溶出した銀イオンの損失が大きい状態が形成される。
【０１０８】
また、銀電解槽内を流れる水量が多いと流速が大きくなるため、流れが乱流またはより乱流に近い状態となる。この場合、主流の流速が大きくなり、かつ境界層の厚さが薄くなるので主流から境界層を通しての塩素イオンの供給（物質移動）も大きくなり、塩化銀が生成しやすい。  
これに対して、分流比を低下させることにより銀電解槽を流れる水量を下げると、銀電解槽内の流速が低下するので、流れが層流またはより層流に近い状態となる。この場合は、主流の流速が低下し、かつ境界層の厚さが厚くなるので主流から境界層をとおしての塩化銀の供給（物質移動）も小さくなり、塩化銀の生成が抑制され、銀イオンの生成効率が大幅に改善される。
【０１０９】
またさらに、分流により銀電解槽を流れる水量を下げると、供給される塩素イオンの絶対量が低下するために、塩化銀の生成が低減する。このため、銀イオンの損失が低下して、生成効率がさらに改善される。
【０１１０】
以上説明したように、本具体例によれば、手動切替スイッチ６００により分流比を変化させることによって銀電解槽を流れる水量を変化させることにより、銀イオンの生成効率を変えることができる。
【０１１１】
図２４は、分流比と銀電解槽の消費電力との関係を表すグラフ図である。すなわち、同図の横軸は、洗浄水の全流量に対して、銀電極４２０ａ、４２０ｂの間を通過する水の流量の割合を「分流比」として表し、縦軸は、銀イオンの添加量を５ｐｐｂとするために必要な銀電解槽４００の消費電力（ミリワット）をそれぞれ表す。またここで、銀電極４２０ａ、４２０ｂの電極間距離は１０ミリメータ、電極の対向面積は１０ミリメータ×１０ミリメータとし、水の総流量は毎分２５リッターとした。
【０１１２】
図２４から、分流比が約８０パーセントを境にして、消費電力が急に低下することが分かる。すなわち、分流比が８０パーセントよりも高い場合には、分流比を変化させても消費電力の変化は比較的小さいが、分流比が８０パーセントを下回ると、分流比を下げるに従って消費電力も顕著に小さくなることが分かる。例えば、分流比が１００パーセントの場合の消費電力は１３１５ミリワットであるのに対して、分流比を２０パーセントに低下させると消費電力は２８０ミリワットと、およそ４．７分の１にまで低下する。  
つまり、銀電解槽４００を流れる水の分流比を下げると、銀イオンの生成効率を上げることができる。
【０１１３】
図２５は、銀イオンの添加量を４ｐｐｂとする場合の分流比と銀電解槽の消費電力との関係を表すグラフ図である。この場合にも、分流比が約８０乃至６０パーセントを境にして、消費電力が急に低下することが分かる。
【０１１４】
図２６及び図２７は、電極間距離を５ミリメータとした時の、分流比と銀電解槽の消費電力との関係を表すグラフ図である。すなわち、図２６は、銀イオンの添加量を５ｐｐｂとした場合を表し、図２７は、銀イオンの添加量を４ｐｐｂとした場合を表す。  
図２６から、やはり分流比がおよそ８０パーセントを下回ると、消費電力が顕著に下がることが分かる。また、図２７においても、傾向はやや小さいものの、分流比がおよそ８０パーセントを下回ると、消費電力が下がることが分かる。
【０１１５】
図２８及び図２９は、電極間距離を３ミリメータとした時の、分流比と銀電解槽の消費電力との関係を表すグラフ図である。すなわち、図２８は、銀イオンの添加量を５ｐｐｂとした場合を表し、図２９は、銀イオンの添加量を４ｐｐｂとした場合をそれぞれ表す。  図２８及び図２９においても、やはり分流比がおよそ８０パーセントを下回ると、消費電力が確実に下がることが分かる。
【０１１６】
以上、図２４乃至図２９に表した結果から、銀電解槽４００を流れる水の分流比を変化させると、銀イオンの生成効率も変化することが分かる。この理由は、図２３に関して前述した通りである。そして、本発明によれば、手動切替スイッチ６００によって、銀電解槽４００を流れる水の分流比を変化させることにより、たとえば、水質や設置環境、「黒ずみ」の有無などに応じて、銀イオンの濃度を最適な範囲に調節することができる。
【０１１７】
すなわち、本実施形態における手動切替スイッチ６００による切替モードについても、第１実施形態に関して前述したものと同様に、種々のケースを設けることが可能である。以下、第１実施形態に準じて、切替モードの具体例を列挙する。
【０１１８】
水の電気伝導率に応じて、銀電解槽４００を流れる水の分流比を切り替える場合。
モード        水の電気伝導率        分流比
１          １７０ｍＳ／ｍ以上    ０．１
２        ７０〜１７０ｍＳ／ｍ    ０．２
３          ２０〜７０ｍＳ／ｍ    ０．３
４          ２０ｍＳ／ｍ以下      ０．４
こうすれば、電極間に印加する電圧を一定に維持するのみの簡単な制御で銀イオンの濃度を適切な値とすることができる。つまり、電極間の電流や電圧を調節することなく、分流比のみを変化させて銀イオンの濃度を最適な値とすることにより、十分な殺菌効果が得られ、且つ便器の「黒ずみ」なども防ぐことができる。なおここで、「分流比」は、便器洗浄水生成装置に供給される全流量に対する銀電解槽４００を流れる水の流量の割合を表す。
【０１１９】
設置する地域に応じて、銀電解槽４００を流れる水の分流比を切り替える場合。
モード    地域      水の電気伝導率      分流比
１      海沿い    ８０ｍＳ／ｍ程度    ０．５
２      山間地    ８ｍＳ／ｍ以下      ０．２
上記具体例も、図４に例示したような最適電流値を変化させることに対応する。そして上記具体例によれば、電圧の過度な上昇を防ぐことができる。
【０１２０】
ビルなどにおいて、設置する階数に応じて、銀電解槽４００を流れる水の分流比を切り替える場合。
モード        階数          水圧            分流比
１      １階〜４階    ０．３ＭＰａ以上    ０．１
２      ５階〜９階    約０．１５ＭＰａ    ０．３
３      １０階以上    約０．０７ＭＰａ    ０．５
上記具体例も、図４に例示したような最適電流値を変化させることに対応する。そして上記具体例によれば、水圧や流量などを自動判別しフィードバックする回路が必要なくなり、システムを簡略化できるとともに消費電力も低減できる。
【０１２１】
給水方式に応じて、銀電解槽４００を流れる水の分流比を切り替える場合。
モード  給水方式      設定銀イオン濃度    分流比
１    タンク式        ７ｐｐｂ          ０．３
２    水道直結式      ５ｐｐｂ          ０．５
上記具体例によれば、給水方式などを自動判別しフィードバックする回路が必要なくなり、システムを簡略化できるとともに消費電力も低減できる。
【０１２２】
便器の構造に応じて、銀電解槽４００を流れる水の分流比を切り替える場合。
モード  給水方式            流量                分流比
１    リム式          毎分２１±４リッター    ０．１
２    スプレッダー式  毎分１４±３リッター    ０．３
上記具体例によれば、給水方式や瞬間流量などを自動判別しフィードバックする回路が必要なくなり、システムを簡略化できるとともに消費電力も低減できる。
【０１２３】
水道水の硬度に応じて、銀電解槽４００を流れる水の分流比を切り替える場合。
モード    水質    炭酸カルシウム換算量      分流比
１      硬水      １００ｐｐｍ以上        ０．５
２      軟水      １００ｐｐｍ未満        ０．８
上記具体例によれば、水質を自動判別しフィードバックする回路が必要なくなり、システムを簡略化できるとともに消費電力も低減できる。
【０１２４】
「黒ずみ防止モード」を設ける場合（設定電流値は上水の場合）。
モード  黒ずみ防止モード    設定電流値    分流比
１        オン            １．６ｍＡ    ０．３
２        オフ              ２ｍＡ      ０．１
上記具体例によれば、便器の表面状態や設置時期などを自動判別しフィードバックする回路が必要なくなり、システムを簡略化できるとともに消費電力も低減できる。
【０１２５】
以上、本実施形態の手動切替スイッチ６００による切替モードの態様について具体例を挙げつつ説明した。  
次に、本実施形態の便器洗浄水生成装置の変型例について説明する。  
図３０は、本実施形態の便器洗浄水生成装置の第２の具体例を表す模式図である。  
また、図３１は、本具体例における制御手段１００の構成を例示する模式図である。
【０１２６】
すなわち、本具体例においては、開閉弁２００が自動開閉式とされ、また、センサ１６０が設けられ、使用者の存在を感知可能とされている。これら各要素の動作については、図７乃至図１１に関して前述したものと同様とすることができる。そして、本具体例によれば、手動切替スイッチ６００を操作することにより、便器洗浄水生成装置が設置される条件や環境、水質、水圧、便器の「黒ずみ」の状態に応じて、銀電解槽４００を流れる水の分流比を適宜切り替えることができる。その結果として、銀イオンによる殺菌効果を確実且つ容易に得ることができ、さらに便器の「黒ずみ」も防ぐことができる。
【０１２７】
またさらに、水質などに応じて電流を調整する自動フィードバック回路などが不要となるために、システムの消費電力を低減でき、発電手段５００により生成される限られた電力によって便器洗浄水生成装置を確実に動作させることができる。
【０１２８】
図３２は、本実施形態の便器洗浄水生成装置の第３の具体例を表す模式図である。  
また、図３３は、本具体例における制御手段１００の構成を例示する模式図である。
【０１２９】
すなわち、本具体例においては、銀電解槽４００の下流に発電手段５００が配置されている。  
図３４は、本具体例における分流手段３００、銀電解槽４００、発電手段５００を含むユニットを表す模式図である。すなわち、同図（ａ）はその外観を表す斜視図であり、同図（ｂ）はその内部構造を表す断面図である。  
またさらに、図３５は、銀電解槽４００の付近を拡大した断面図である。
【０１３０】
すなわち、本具体例においては、銀電解槽４００を洗浄水の流路の一端に設けることにより分流手段３００が構成されている。つまり、洗浄水のうちの一部のみが銀電極４２０ａ、４２０ｂの間を通水するように銀電解槽４００が配置されている。そして、その下流において、洗浄水の全量が通水するように水車５２０が配置されている。
【０１３１】
図２１及び図２２に関して前述した分流構造の場合、銀電解槽４００と発電手段５００とが分岐流路に並列に配置されているので、配管方向の長さをコンパクトにできるという利点がある。ただし、銀電解槽４００に対しては低流速が必要であり、水車５２０に対して高速流が必要であることを考慮すると、図２１及び図２２に表した分流構造の場合、水流に対して同位置においてこれらの条件を同時に満足させる点ではやや不利である。
【０１３２】
これに対して、図３４乃至図３５に表した変型例の場合、配管方向の長さはやや長くなるものの、銀電解槽４００と発電手段５００とをそれぞれ流れる水流を上述のような条件にすることが容易であるという利点が得られる。
【０１３３】
そして、本実施形態においては、手動切替スイッチ６００により、流路内における銀電極４２０ａ、４２０ｂの位置を変えることにより、分流比を変化させることができる。
【０１３４】
図３６は、本具体例における手動切替スイッチ６００の動作を説明するための模式図である。すなわち、配管の中に形成される水流は、中央部では速く、管壁に近づくに従って遅くなる分布を有する。そして、手動切替スイッチ６００は、銀電極４２０ａ、４２０ｂを配管内において、矢印Ａの方向に移動可能とされている。
【０１３５】
銀電極４２０ａ、４２０ｂを配管の管壁寄りに移動させると、流速が遅く、通水量が小さくなるので、分流比を下げることができる。逆に、銀電極４２０ａ、４２０ｂを配管の流路の中央付近に移動させると、流速が早く、通水量が大きくなるので、分流比を上げることができる。
【０１３６】
このように、銀電極４２０ａ、４２０ｂを配管内で移動させることにより、銀電解槽４００を流れる水の分流比を変化させることができ、たとえば、水質や設置環境、「黒ずみ」の有無などに応じて、銀イオンの濃度を最適な範囲に調節することができる。
【０１３７】
図３７は、本実施形態において用いることができる分流手段３００を表す模式図である。すなわち、本具体例の場合、銀電解槽４００は配管の管壁寄りに配置され、さらに、一対の銀電極４２０ａ、４２０ｂの端部に絞り孔４３０が設けられている。つまり、銀電極４２０ａ、４２０ｂの間を流れる水の出口として、絞り孔４３０を設けることにより、電極間の通水量を抑制し、分流比をさらに下げることができる。そして、この絞り孔４３０の開口サイズを手動切替スイッチ６００により可変とすれば、分流比を変化させることができる。
【０１３８】
図３８も、本実施形態において用いることができる分流手段３００を表す模式図である。本具体例の場合、配管は屈曲部を有し、銀電極４２０ａ、４２０ｂは、この屈曲部に配置されている。そして、手動切替スイッチ６００により、配管内を矢印Ａの方向に移動可能とされている。屈曲部において形成される水流は、同図に矢印Ｗで表したように、外周において流速が速く、内周において流速が遅くなる分布を有する。従って、屈曲部の内周に寄せて銀電極を配置すれば、分流比は低下し、逆に外周側に配置すれば分流比は増加する。このように、配管内で銀電極を移動させることにより、分流比を変化させることができる。
【０１３９】
本発明においては、図３６乃至図３８に表した具体例をはじめとした種々の分流構造を適宜採用し、手動切替スイッチ６００を設けることにより、電極間の通水量に対応する分流比を変化させ、銀イオン濃度を最適な範囲に調整することができる。
【０１４０】
図３９及び図４０は、銀電解槽４００と発電手段５００との配置関係の第２の変型例を表す模式図である。すなわち、本変型例においては、第１の分流手段３１０により水流を分岐させ、その一方の分岐路にさらに第２の分流手段３２０を設けて水流を分岐させてその一方に銀電解槽４００を配置している。このようにすると、銀電解槽４００に供給される水量を顕著に低下させ分流比をさらに低下させることが容易となる。
【０１４１】
そして、これら第１の分流手段３１０と第２の分流手段３２０の少なくともいずれかの分流比を可変とする手動切替スイッチ６００を設けることにより、銀電解槽４００を流れる水の分流比を変化させ、たとえば、水質や設置環境、「黒ずみ」の有無などに応じて、銀イオンの濃度を最適な範囲に調節することができる。
【０１４２】
また、本具体例においては、第２の分流手段３２０により分岐された２つの水流を合流させて発電手段５００に通水させることにより、流速と水流を発電手段５００の要求特性に適合させ、発電量を確保することも容易となる。
【０１４３】
図４１は、本実施形態の便器洗浄水生成装置の他の具体例を表す模式図である。  
本具体例においても、図１２及び図１３に関して前述したものと同様に、開閉弁２００が自動開閉式とされ、制御手段１００から駆動電力を適宜供給することにより、動作させることができる。また、本具体例においては、発電手段の代わりに蓄電手段１４０が設けられている。蓄電手段１４０は、アルカリ電池や銀電池などの１次電池でもよく、またはニッケル・カドミウム電池や、ニッケル水素電池、リチウムイオン電池などのように再充電が可能な２次電池でもよい。
【０１４４】
本具体例の便器洗浄水生成装置も、図１２及び図１３に関して前述したものとほぼ同様な動作をさせることができる。  
そして、手動切替スイッチ６００により、各種の切替モードを適宜設けることにより、便器洗浄水生成装置が設置される条件や環境、水質、水圧、便器の「黒ずみ」の状態に応じて、銀電解槽４００を流れる水の分流比を適宜切り替えることができる。その結果として、銀イオンによる殺菌効果を確実且つ容易に得ることができ、さらに便器の「黒ずみ」も防ぐことができる。またさらに、電流を過剰に流すことも防げるので、蓄電手段１４０の寿命をのばし、交換または再充電の頻度を減らすことができる。
【０１４５】
またさらに、水質などに応じて電流を調整する自動フィードバック回路などが不要となるために、システムの消費電力を低減でき、この観点からも、蓄電手段１４０の寿命をのばし、交換または再充電の頻度を減らすことができる。
【０１４６】
以上、本発明を小用便器について用いた具体例について説明したが、本発明はこれら具体例に限定されるものではない。  
例えば、本発明は、大便器の洗浄水の生成に用いても同様の作用効果が得られる。この場合、フラッシュバルブ式の大便器についても、ロータンク式の大便器についても、本発明を適用できる。  
また、第１乃至第３実施形態を適宜組み合わせてもよい。例えば、第１実施形態と第３実施形態とを組合せ、手動切替スイッチ６００によって電流と分流比とをそれぞれ可変としてもよい。
【０１４７】
またさらに、本発明は、便器以外にも、例えば、手洗器や台所用水洗、浴室水洗などに用いて銀イオン水による同様の殺菌効果が得られる。  
図４２は、自動水栓の手洗器に本発明を適用した具体例を表す模式図である。すなわち、手洗器８００は、赤外線などのセンサ１６０を内蔵し、使用者が手を近づけると、開閉弁２００を開いて自動的に水を吐出させる。そして、この吐水に銀イオンを溶出させることにより、優れた殺菌作用が得られる。  
一方、センサ１６０が使用者を検知すると、開閉弁２００を開くとともに銀電解槽４００に通電して銀イオンの溶出を開始する。銀電解槽４００に対する電力の供給は、発電手段５００から直接行うことができる。
【０１４８】
そして、本具体例においても、第１乃至第３実施形態に関して前述したように、制御手段１００、分流手段３００及び銀電解槽４００の少なくともいずれかに手動切替スイッチ６００を設けることにより、手洗器が設置される条件や環境、水質、水圧、陶器製手洗ボウルの「黒ずみ」の状態に応じて、銀イオンを最適な濃度とすることができる。その結果として、銀イオンによる殺菌効果を確実且つ容易に得ることができ、さらに手洗ボウルの「黒ずみ」も防ぐことができる。またさらに、電流を過剰に流すことも防げるので、効率よく各回路要素を動作させ、商用電源が不要な自動水栓・殺菌水吐水型の手洗器が実現できる。
【０１４９】
その他、開閉弁、銀電解槽、発電手段、分流手段、制御手段、センサ、蓄電手段をはじめとする各要素について当業者が適宜設計変更して採用したものも、本発明の要旨を有する限りにおいて本発明の範囲に包含される。
【図面の簡単な説明】
【０１５０】
【図１】本発明の第１の実施の形態にかかる便器洗浄水生成装置の具体例を表す模式図である。
【図２】発電手段５００を表す模式図である。
【図３】銀電解槽４００における銀イオンの生成を表す概念図である。
【図４】銀イオンの添加量を５ｐｐｂとするための特性線を例示するグラフ図である。
【図５】手動切替スイッチの外観を例示する模式図である。
【図６】本発明の第１実施形態の便器洗浄水生成装置の第２の具体例を表す模式図である。
【図７】第１実施形態の便器洗浄水生成装置の第３の具体例を表す模式図である。
【図８】第３具体例における制御手段１００の構成を例示した模式図である。
【図９】電流供給部１３０の構成を例示する模式図である。
【図１０】第３具体例の便器洗浄水生成装置の動作を例示するタイミングチャートである。
【図１１】銀イオン水による洗浄動作を例示するタイミングチャートである。
【図１２】第１実施形態の便器洗浄水生成装置の第４の具体例を表す模式図である。
【図１３】制御手段１００の具体的な構成を例示する模式図である。
【図１４】本発明の第２の実施形態にかかる便器洗浄水生成装置を表す模式図である。
【図１５】第２実施形態における銀電解槽４００及び手動切替スイッチ６００の構成を例示する模式図である。
【図１６】銀電極の電極間距離と電極間抵抗との関係を例示するグラフ図である。
【図１７】第２実施形態の便器洗浄水生成装置の第２の具体例を表す模式図である。
【図１８】第２実施形態の便器洗浄水生成装置の第３の具体例を表す模式図である。
【図１９】第２実施形態の便器洗浄水生成装置の第４の具体例を表す模式図である。
【図２０】本発明の第３の実施形態にかかる便器洗浄水生成装置の具体例を表す模式図である。
【図２１】本発明の具体例における分流手段３００、銀電解槽４００、発電手段５００を含むユニットを表す模式図である。
【図２２】手動切替スイッチ６００による分流手段３００の移動機構を例示する模式図である。
【図２３】分流による銀イオンの生成効率の改善を説明するための模式図である。
【図２４】分流比と銀電解槽の消費電力との関係を表すグラフ図である。
【図２５】銀イオンの添加量を４ｐｐｂとする場合の分流比と銀電解槽の消費電力との関係を表すグラフ図である。
【図２６】電極間距離を５ミリメータとした時の、分流比と銀電解槽の消費電力との関係を表すグラフ図である。
【図２７】電極間距離を５ミリメータとした時の、分流比と銀電解槽の消費電力との関係を表すグラフ図である。
【図２８】電極間距離を３ミリメータとした時の、分流比と銀電解槽の消費電力との関係を表すグラフ図である。
【図２９】電極間距離を３ミリメータとした時の、分流比と銀電解槽の消費電力との関係を表すグラフ図である。
【図３０】第３実施形態の便器洗浄水生成装置の第２の具体例を表す模式図である。
【図３１】第２具体例における制御手段１００の構成を例示する模式図である。
【図３２】第３実施形態の便器洗浄水生成装置の第３の具体例を表す模式図である。
【図３３】第３具体例における制御手段１００の構成を例示する模式図である。
【図３４】第３具体例における分流手段３００、銀電解槽４００、発電手段５００を含むユニットを表す模式図である。
【図３５】銀電解槽４００の付近を拡大した断面図である。
【図３６】第３具体例における手動切替スイッチ６００の動作を説明するための模式図である。
【図３７】第３実施形態において用いることができる分流手段３００を表す模式図である。
【図３８】第３実施形態において用いることができる分流手段３００を表す模式図である。
【図３９】銀電解槽４００と発電手段５００との配置関係の第２の変型例を表す模式図である。
【図４０】銀電解槽４００と発電手段５００との配置関係の第２の変型例を表す模式図である。
【図４１】第３実施形態の便器洗浄水生成装置の他の具体例を表す模式図である。
【図４２】自動水栓の手洗器に本発明を適用した具体例を表す模式図である。
【符号の説明】
【０１５１】
１００ 制御手段
１１０ 制御部
１２０ 開閉弁電磁駆動部
１３０ 電流供給部
１３３ 定電流回路
１３４ 極性反転回路
１４０ 蓄電手段（蓄電部）
１５０ 整流部
１６０ センサ
２００ 開閉弁
３００、３１０、３２０ 分流手段
４００ 銀電解槽
４１０ａ、４１０ｂ 接続端子
４２０ａ，４２０ｂ 銀電極
４３０ 絞り孔
５００ 発電手段
５１０ 発電機
５２０ 水車
６００ 手動切替スイッチ
７００ 水洗便器
８００ 手洗器
【図１】
2005232683.tif 000003
【図２】
2005232683.tif 000004
【図３】
2005232683.tif 000005
【図４】
2005232683.tif 000006
【図５】
2005232683.tif 000007
【図６】
2005232683.tif 000008
【図７】
2005232683.tif 000009
【図８】
2005232683.tif 000010
【図９】
2005232683.tif 000011
【図１０】
2005232683.tif 000012
【図１１】
2005232683.tif 000013
【図１２】
2005232683.tif 000014
【図１３】
2005232683.tif 000015
【図１４】
2005232683.tif 000016
【図１５】
2005232683.tif 000017
【図１６】
2005232683.tif 000018
【図１７】
2005232683.tif 000019
【図１８】
2005232683.tif 000020
【図１９】
2005232683.tif 000021
【図２０】
2005232683.tif 000022
【図２１】
2005232683.tif 000023
【図２２】
2005232683.tif 000024
【図２３】
2005232683.tif 000025
【図２４】
2005232683.tif 000026
【図２５】
2005232683.tif 000027
【図２６】
2005232683.tif 000028
【図２７】
2005232683.tif 000029
【図２８】
2005232683.tif 000030
【図２９】
2005232683.tif 000031
【図３０】
2005232683.tif 000032
【図３１】
2005232683.tif 000033
【図３２】
2005232683.tif 000034
【図３３】
2005232683.tif 000035
【図３４】
2005232683.tif 000036
【図３５】
2005232683.tif 000037
【図３６】
2005232683.tif 000038
【図３７】
2005232683.tif 000039
【図３８】
2005232683.tif 000040
【図３９】
2005232683.tif 000041
【図４０】
2005232683.tif 000042
【図４１】
2005232683.tif 000043
【図４２】
2005232683.tif 000044